(57)【特許請求の範囲】
【請求項１】
インクを吐出する吐出口が配された吐出口面を有する記録ヘッドと、該記録ヘッドから消費されたインク量をカウントするカウント手段と、該カウント手段によってカウントされた値に基づいて前記吐出口面を払拭する払拭動作を行う払拭部材と、前記記録ヘッドの温度を検出する検出手段と、を備えるインクジェット記録装置において、
前記検出手段によって検出された前記記録ヘッドの温度が所定温度よりも高い場合に、前記払拭部材に前記払拭動作を行わせることなく前記払拭部材を前記吐出口面に当接させる制御手段を備えることを特徴とするインクジェット記録装置。
【請求項２】
前記制御手段は、前記検出手段によって検出された温度に基づいて前記払拭部材を前記吐出口面に当接させる時間を制御することを特徴とする請求項１に記載のインクジェット記録装置。
【請求項３】
前記制御手段は、前記検出手段によって検出された温度に基づいて前記払拭部材を前記吐出口面に当接させる面積を制御することを特徴とする請求項１または２に記載のインクジェット記録装置。
【請求項４】
前記制御手段は、前記検出手段によって検出された温度が比較的高い部位に前記払拭部材を当接させることを特徴とする請求項１ないし３のいずれか１項に記載のインクジェット記録装置。
【請求項５】
インクを吐出する吐出口が配された吐出口面を有する記録ヘッドと、該記録ヘッドから消費されたインク量をカウントするカウント手段と、該カウント手段によってカウントされた値に基づいて前記吐出口面を払拭する払拭動作を行う払拭部材と、前記記録ヘッドの温度を検出する検出手段と、を備えるインクジェット記録装置において、
前記検出手段によって検出された前記記録ヘッドの温度が所定温度よりも高い場合に、前記払拭部材に前記払拭動作を行わせることなく前記払拭部材を前記記録ヘッドの前記吐出口面以外の部位に当接させる制御手段を備えることを特徴とするインクジェット記録装置。
【請求項６】
前記払拭部材を冷却する冷却手段をさらに備えることを特徴とする請求項１ないし５のいずれか１項に記載のインクジェット記録装置。
【請求項７】
前記払拭部材の温度を検出する第２の検出手段をさらに備え、前記制御手段は、前記第２の検出手段によって検出された温度に基づいて、前記冷却手段によって前記払拭部材を冷却する、または前記払拭部材の前記払拭動作を制御することを特徴とする請求項６に記載のインクジェット記録装置。
【請求項８】
前記払拭部材を放熱するための放熱手段をさらに備えることを特徴とする請求項１ないし５のいずれか１項に記載のインクジェット記録装置。
【発明の詳細な説明】
【技術分野】
【０００１】
本発明は、被記録材に対して記録ヘッドからインクを吐出させて記録を行うインクジェット記録装置に関する。
【背景技術】
【０００２】
インクジェット記録装置では、吐出口（ノズル）が形成された記録ヘッドの吐出口形成面（以下、フェイス面と称する）に、インクが付着して正常な吐出動作が妨げられることが知られている。また、相互に反応性を持つインクや、反応液とインクを併用して画像を形成する記録装置や、さらには紫外線、マイクロ波、熱などを用いてインクを固化させて堅牢性を向上させる場合が知られている。特に、このような場合には、フェイス面に付着したインクの除去が困難になり、吐出動作が強固に妨げられることが知られている。そこで、これらの問題点を解決するために、様々なクリーニング動作が必要とされる場合がある。
【０００３】
このようにフェイス面が濡れて吐出不良を招きかねない状態を解消するために、一般的に、インクジェット記録装置は、ワイパと呼ばれるフェイス面を拭き取る払拭部材を備えている。インクジェット記録装置では、払拭部材を用いて、適宜のタイミングでフェイス面に付着したインクミストを拭き取る動作（払拭動作）が行われる。このような払拭動作の例としては、タイマと記録ヘッドによるインク滴の吐出数の計数（ドットカウント）とを併用することで、払拭動作を行うタイミングを決定する方法が開示されている。また、通常のドットカウントと記録デューティ（印字率）とを組み合わせて、払拭動作を行うタイミングを決定する方法も開示されている。
【０００４】
また、フェイス面に付着したミストがインク溶剤の蒸発によって増粘したり、記録ヘッドが高温であったり、あるいは記録動作を長時間行う必要があり、記録動作の間に払拭動作を行えなかったりするなど等の理由から、拭き取り性の低下が懸念される場合がある。このような場合には、インクや、その他の溶剤の原液・溶液等の単体または混合物で構成された払拭液でワイパを予め濡らした状態で拭き取りを行う等の対応を採るものもある。さらに、特許文献１には、ベルト状の払拭部材を用いてクリーニングする方法が開示されている。
【０００５】
一方、サーマル方式のインクジェット記録装置では、吐出動作に伴う記録ヘッドの昇温に伴って、インク吐出性能やヘッド寿命を損なうことが問題となる場合がある。そのため、特許文献２には、ヘッド温度に応じて、記録動作の待機時間を設ける方法が開示されている。この記録ヘッドの昇温に伴う課題は、サーマル方式はもちろん、被記録材の記録面の乾燥機構を備えるインクジェット記録装置においても課題となる場合がある。
【先行技術文献】
【特許文献】
【０００６】
【特許文献１】特開２００３−３００３２９号公報
【特許文献２】特開２００６−３４１５７０号公報
【発明の概要】
【発明が解決しようとする課題】
【０００７】
しかしながら、上記特許文献１に記載のように、ヘッド温度に応じて待機時間を設けた場合には、記録速度が低下してしまう不都合がある。また、記録が行われる記録面の、例えばページ内の一部分だけに待機時間が設けられた場合、そのページの一部分が他の記録部分と異なるインク着弾浸透状態となることを招くので、記録面における画像むらを生じるおそれもある。
【０００８】
そこで、本発明は、上記課題に鑑みてなされたもので、記録ヘッドの昇温を抑制することで、記録ヘッドの寿命を延ばすことができるインクジェット記録装置を提供することを目的とする。また、本発明は、記録ヘッドの昇温時の待機時間を減少させることで、記録速度の低下及び画質の劣化を軽減することができるインクジェット記録装置を提供することを目的とする。
【課題を解決するための手段】
【０００９】
上述した目的を達成するため、本発明に係るインクジェット記録装置は、インクを吐出する吐出口が配された吐出口面を有する記録ヘッドと、記録ヘッドから消費されたインク量をカウントするカウント手段と、カウント手段によってカウントされた値に基づいて吐出口面を払拭する払拭動作を行う払拭部材と、記録ヘッドの温度を検出する検出手段と、を備えるインクジェット記録装置において、検出手段によって検出された記録ヘッドの温度が所定温度よりも高い場合に、払拭部材に払拭動作を行わせることなく払拭部材を吐出口面に当接させる制御手段を備えることを特徴する。
【発明の効果】
【００１０】
本発明によれば、記録ヘッドの温度が高い場合、払拭部材を記録ヘッドに当接させることで記録ヘッドの放熱、温度降下を促進することが可能になり、記録ヘッドの昇温を抑制することができる。その結果、本発明は、記録速度の低下及び画質の劣化を抑制することができる。
【図面の簡単な説明】
【００１１】
【図１】第１の実施形態におけるインクジェット記録装置を示す平面図である。
【図２】第１の実施形態における記録ヘッドが搭載されたキャリッジを示す斜視図である。
【図３】第１の実施形態における制御系の構成を示すブロック図である。
【図４】第１の実施形態における払拭機構を示す模式図である。
【図５】第１の実施形態における記録ヘッドの温度降下を示す図である。
【図６】第１の実施形態における払拭機構の当接制御方法を説明するためのフローチャートである。
【図７】第１の実施形態における記録ヘッドの温度推移を示す図である。
【図８】第２の実施形態における払拭機構の当接制御方法を説明するためのフローチャートである。
【図９】第２の実施形態における払拭機構の当接位置を示す模式図である。
【図１０】第３の実施形態における払拭機構の当接制御方法を説明するためのフローチャートである。
【図１１】第３の実施形態における払拭機構を示す模式図である。
【図１２】実施形態における記録ヘッドの温度降下を示す図である。
【図１３】第４の実施形態における払拭機構の当接制御方法を説明するためのフローチャートである。
【図１４】第４の実施形態における払拭機構の当接位置を示す模式図である。
【図１５】第５の実施形態における冷却ファンの位置を示す模式図である。
【図１６】第６の実施形態における冷却制御方法を説明するためのフローチャートである。
【図１７】第６の実施形態における温度センサの位置を示す模式図である。
【図１８】第６の実施形態における冷却ファンの位置を示す模式図である。
【図１９】第７の実施形態における冷却制御方法を説明するためのフローチャートである。
【図２０】第８の実施形態における放熱フィンの位置を示す模式図である。
【発明を実施するための形態】
【００１２】
以下、本発明の実施形態について、図面を参照して詳細に説明する。
【００１３】
（第１の実施形態）
図１は、第１の実施形態におけるインクジェット記録装置を示す平面図である。図１に示すように、本実施形態のインクジェット記録装置は、被記録材の搬送系ユニット（図示せず）を含む各種の機構部を備えた装置本体１を備えている。なお、本実施形態のインクジェット記録装置は、シリアル型のインクジェット記録装置である。このシリアル型のインクジェット記録装置は、搬送系ユニットによって被記録材をＹ方向へと間欠的に搬送すると共に、記録ヘッド３を被記録材の搬送方向であるＹ方向（副走査方向）と直交する方向であるＸ方向（主走査方向）へと移動させながら記録動作を行う。また、図１に示すように、装置本体１は、例えばＡ１サイズ等の比較的大判の被記録材に対して記録を行えるように、Ｘ方向におけるサイズを大型化して構成されている。
【００１４】
また、図１に示すように、装置本体１は、記録ヘッド３が着脱可能に搭載されるキャリッジ２を備えている。このキャリッジ２は、記録ヘッド３と共にＸ方向に沿って往復移動する。具体的には、キャリッジ２は、Ｘ方向に沿って配置されたガイド軸４に沿って移動可能に支持されると共に、ガイド軸４と略平行に移動する無端ベルト５に固定されている。無端ベルト５は、キャリッジモータ（ＣＲモータ）の駆動力によって往復移動し、それによってキャリッジ２をＸ方向に往復移動させる。
【００１５】
図２は、複数の記録ヘッド３が搭載されたキャリッジ２を示す斜視図である。図２に示すように、記録ヘッド３には、フェイス面３ｂに形成される複数の吐出口３ａと、個々の吐出口３ａに対応して形成された複数の液路（図示せず）と、複数の液路にインクを供給する共通液室（図示せず）とが形成されている。本実施形態の各記録ヘッド３には、上述した副走査方向であるＹ方向に対して同色のインク用の吐出口３ａが、１２００ｄｐｉ（ドット／インチ）の密度で１２８０個配列されている。
【００１６】
記録ヘッド３の各液路には、インクを吐出口３ａから吐出させるための吐出エネルギを発生させるエネルギ発生素子が配置されている。このエネルギ発生素子として、本実施形態では、インクを局所的に加熱して膜沸騰を生じさせ、その圧力によってインクを吐出させる電気熱変換体が用いられている。なお、以下の説明においては、吐出口３ａと液路とを含めてノズルと称す。
【００１７】
また、キャリッジ２に搭載される記録ヘッド３には、それぞれ異なる色材を含有したインクが、これらインクがそれぞれ収容されたインクタンクから供給される。本実施形態では、シアン、マゼンタ、イエロー、ブラックの色材を含有する４種類のインクが収容された４個のインクタンク（図示せず）が装置本体１に設けられている。そして、装置本体１が備える各インクタンクは、それぞれ対応する記録ヘッド３のインク供給口にチューブ（図示せず）で連結されており、各インクタンクから各記録ヘッドにインクを供給する。なお、このインクセットは、装置本体１の特性によって任意に設定可能なものであり、ここに搭載するインクの種類（染料／顔料・色）を限定するものではない。
【００１８】
キャリッジ２には、記録ヘッド３及び記録ヘッド３の近傍の温度を検出する温度検出手段としての複数の温度センサ３ｃが設けられている。温度センサ３ｃは、記録ヘッド３の各色のノズル列の両端に設けられており、ノズル列毎に温度を検出し、ノズル列毎に温度を平均化することで、各ノズル列の温度として算出している。
【００１９】
図１に示すように、装置本体１は、記録ヘッド３の各吐出口３ａからのインク吐出性能を良好な状態に保つための回復処理装置７を備えている。この回復処理装置７は、装置本体１の内部の所定の位置に保持されて固定されている。この回復処理装置７は、吸引回復機構７Ａ、Ｂを有している。
【００２０】
吸引回復機構７Ａ、７Ｂは、回復処理の一形態である吸引回復処理を行う。ここで、吸引回復処理とは、記録ヘッド３に形成された複数のノズルから強制的にインクを吸引することによって、ノズル内のインクを吐出に適した状態のインクに置き換える処理をいう。具体的には、この吸引回復機構７Ａ、７Ｂは、フェイス面３ｂをキャップで覆うと共に、そのキャップに連通するポンプ（図示せず）によってキャップ内に負圧を発生させ、その負圧によって吐出口３ａからインクを強制的に吸引する。なお、各吸引回復機構７Ａ、７Ｂは、それぞれが３つずつのノズル列群に対して吸引回復処理を行う。
【００２１】
図３は、本実施形態におけるインクジェット記録装置の装置本体１が備える制御手段としての制御系の構成を示すブロック図である。図３に示すように、制御系は、主制御部１００を備えている。主制御部１００は、演算、制御、判別、設定などの処理動作を実行するＣＰＵ１０１と、このＣＰＵ１０１によって実行すべき制御プログラム等を格納するＲＯＭ１０２と、を有している。また、主制御部１００は、インクの吐出／非吐出を表す２値の記録データを格納するバッファ及びＣＰＵ１０１による処理のワークエリア等として用いられるＲＡＭ１０３、及び入出力ポート１０４などを有している。
【００２２】
入出力ポート１０４には、搬送ユニットにおける搬送モータ（ＬＦモータ）１１３、キャリッジモータ（ＣＲモータ）１１４、記録ヘッド３、回復処理装置７などの各駆動回路１０５，１０６，１０７，１０８が接続されている。また、入出力ポート１０４には、記録ヘッド３の温度を検出する温度センサ３ｃや、キャリッジ２に固定されたエンコーダセンサ１１１が接続されている。さらに、入出力ポート１０４には、装置本体１の使用環境である温度と湿度を検出する温湿度センサ１０９などをはじめとするその他のセンサ類が接続されている。また、主制御部１００は、インターフェース回路１１０を介してホストコンピュータ１１５に接続されている。
【００２３】
制御系は、回復処理装置７によって記録ヘッド３から強制的にインクを排出させた場合に、そのインク量をカウントする回復処理カウンタ１１６を備えている。また、制御系は、記録動作開始前や記録動作終了時、記録動作中に行われる予備吐出をカウントする予備吐出カウンタ１１７を備えている。さらに、制御系は、フチ無し記録を行う場合に被記録材領域外に記録されるインクをカウントするフチ無しインクカウンタ１１８と、記録動作中に吐出するインクをカウントする吐出ドットカウンタ１１９と、を備えている。
【００２４】
次に、以上のように構成されたインクジェット記録装置によって実行される記録動作を説明する。インクジェット記録装置は、ホストコンピュータ１１５からインターフェースを介して記録データを受信したとき、その記録データがＲＡＭ１０３のバッファに展開される。そして、記録動作が指示されることで、搬送ユニット（図示せず）が作動し、被記録材を記録ヘッド３と対向する位置へ搬送する。ここで、キャリッジ２は、ガイド軸４に沿ってＸ方向へと移動する。キャリッジ２の移動に伴って、記録ヘッド３からインク滴が吐出され、インク滴によって被記録材の記録面に１バンド分の画像が記録される。この後、被記録材は、搬送ユニットによって、キャリッジ２の移動方向と直交するＹ方向に１バンド分だけ搬送される。以上の動作を繰り返すことにより、被記録材には所定の画像が形成される。
【００２５】
なお、キャリッジ２の位置は、キャリッジ２の移動に伴ってエンコーダセンサ１１１から出力されるパルス信号を主制御部１００でカウントすることによって検出される。すなわち、エンコーダセンサ１１１は、Ｘ方向に沿って配置されたエンコーダフィルム６（図１参照）に一定の間隔で形成された検出部を検出することによってパルス信号を主制御部１００へ出力する。主制御部１００は、このパルス信号をカウントすることにより、キャリッジ２の位置を検出する。キャリッジ２のホームポジション及びその他の位置への移動は、エンコーダセンサ１１１からの信号に基づいて行われる。
【００２６】
払拭機構８は、例えばポリオレフィン、ＰＥＴ、ナイロン等を用いた不織布等からなるクリーニングウェブ３０によって、記録ヘッド３のフェイス面３ｂを払拭して清掃する機構である。図４は、記録ヘッド３と払拭機構８を本体正面から示す模式図である。図４に示すように、払拭機構８は、複数のローラ群と当接部材３３に跨ってクリーニングウェブ３０を保持し、当接部材３３の上下動作により記録ヘッド３にクリーニングウェブ３０を当接させるか否かを制御する。記録ヘッド３とクリーニングウェブ３０との当接位置は、記録ヘッド３の走査範囲内にあり、記録ヘッド３が走査することによってフェイス面３ｂがクリーニングウェブ３０に払拭される。フェイス面３ｂを払拭した際、クリーニングウェブ３０は、払拭したインクによって汚れるので、適時、供給ローラ３１及び巻き取りローラ３２を回転させることによって、インクで汚染されていない面で払拭を行うことができる。
【００２７】
一方、発明者らの検討の結果、払拭機構８を記録ヘッド３に当接させた場合、記録ヘッド３の放熱、温度降下を促進することができた。検討結果を図５に示す。図５に示すように、払拭機構８を記録ヘッド３に当接させた場合には、例えば記録ヘッド３の温度を６０℃から５０℃まで温度降下させるために要する時間が、払拭機構８を記録ヘッド３に当接させない場合に比べて３／４程度に低減されている。
【００２８】
本実施形態は、検討結果に基づいて、払拭機構８を記録ヘッド３に当接させるか否かを、図６に示すフローチャートに沿って、毎スキャン毎に判断を行っている。すなわち、本実施形態においても、インク滴の吐出数に基づいて記録ヘッド３の汚れを予測し、記録ヘッド３のクリーニングのために払拭機構８を当接させる必要性の判断を行っている（ステップＳ１、Ｓ３）。さらにこれに加えて、本実施形態は、記録ヘッド３の温度に基づいて記録ヘッド３の昇温抑制のために払拭機構８を当接させる必要性を判断するように構成されている（ステップＳ２〜Ｓ４）。任意の画像を記録した際の、記録ヘッド３の昇温抑制制御の有無での記録ヘッド３の温度推移グラフを図７に示す。図７に示すように、記録ヘッド３の昇温抑制制御が有る場合には、無い場合に比べて、記録ヘッド３の昇温を抑制することができた。その結果、記録ヘッド３へのインク固着の軽減や記録ヘッド３の熱劣化等を抑制することができ、ヘッド寿命を延ばすことができた。
【００２９】
また、記録ヘッド３へのインク固着の軽減や、記録ヘッド３の熱劣化等を抑制するために、記録ヘッド３が所定温度になったときに所定時間だけ待機するといった昇温時待機制御を備える場合、待機に要する時間が削減される。その結果、本実施形態は、記録動作時間の短縮を図り、記録速度の低下を防ぐことができる。
【００３０】
なお、本実施形態では、クリーニングウェブを用いた例を説明したが、例えばワイパ等の他のクリーニング手段を用いて記録ヘッド３への当接を制御するように構成されても良い。
【００３１】
（第２の実施形態）
第２の実施形態は、第１の実施形態の応用例である。第２の実施形態において、第１の実施形態と同様の部分の説明は省略する。
【００３２】
記録条件や環境条件によっては、記録ヘッド３の昇温が更に大きい場合がある。そこで、本実施形態では、記録ヘッド３の温度に基づいて、払拭機構を当接させるか否かの制御を行うのに加え、払拭機構を当接させる時間を制御している。図８に、本実施形態における制御を説明するためのフローチャートを示す。図９に、第２の実施形態における払拭機構の当接位置の模式図を示す。
【００３３】
本実施形態においても、インク滴の吐出数に基づいて記録ヘッド３に払拭機構を当接させるか否かの判断（ステップＳ１１、Ｓ１３）、及び記録ヘッド３の温度に基づいて記録ヘッド３に払拭機構を当接させるか否かの判断（ステップＳ１２〜Ｓ１４）を行っている。さらに、本実施形態では、記録ヘッド３に払拭機構を当接させる場合に、記録ヘッド３の温度に基づいて、記録ヘッド３に払拭機構を当接させる時間を１秒間待機するか否かの判断（ステップＳ１５〜Ｓ１７）を行っている。
【００３４】
本実施形態のように記録ヘッド３の温度に基づいて、払拭機構８の当接の有無、及び払拭機構８の当接時間を制御することで、記録ヘッド３の昇温を効果的に抑制することができた。
【００３５】
また、記録ヘッド３に払拭機構８を当接させた状態で待機する際、図９に示すように、記録ヘッド３における最も温度が高い、いずれかの色のノズル列の近傍に当接した状態で待機するように制御しても良い。このように当接位置や、待機位置を制御することで、記録ヘッド３の昇温を抑制する効果が更に高められる。
【００３６】
（第３の実施形態）
第３の実施形態は、第１の実施形態の応用例である。第３の実施形態において、第１の実施形態と同様の部分の説明は省略する。
【００３７】
記録条件や環境条件によっては、記録ヘッド３の昇温が更に大きい場合がある。そこで、本実施形態では、記録ヘッド３の温度に基づいて払拭機構を当接させるか否かに加え、記録ヘッド３の温度に応じて払拭機構を当接させる面積の大きさを制御している。図１０に、本実施形態における制御を説明するためのフローチャートを示す。図１１に、第３の実施形態における払拭機構の模式図を示す。
【００３８】
本実施形態でも、インク滴の吐出数に基づいて記録ヘッド３に払拭機構８を当接させるか否かの判断（ステップＳ２１、Ｓ２３）、及び記録ヘッド３の温度に基づいて記録ヘッド３に払拭機構８を当接させるか否かの判断（ステップＳ２２〜Ｓ２４）を行っている。さらに、本実施形態では、記録ヘッド３に払拭機構を当接させる場合に、記録ヘッド３の温度に基づいて、記録ヘッド３に払拭機構を当接させる面積を増やすか否かの判断（ステップＳ２５〜Ｓ２７）を行っている。
【００３９】
このように本実施形態における払拭機構は、図１１に示すように、当接部材３３が当接する面積の大きさが変化するように当接部材３３が弾性変形することで、記録ヘッド３に当接する面積を変えることができる。
【００４０】
図１２に示すように、記録ヘッド３への当接面積を大きくすることで、記録ヘッド３の放熱、温度降下が大きくなる。その一方で、記録ヘッド３への当接面積を大きくした場合には、クリーニングウェブ３０の使用量が多くなるので、必要性が高いときにだけ当接面積を大きくするように制御を行っている。
【００４１】
本実施形態では、記録ヘッド３の温度に基づいて、払拭機構の当接の有無、及び、払拭機構の当接面積を制御することによって、記録ヘッド３の昇温を効果的に抑制することができた。
【００４２】
（第４の実施形態）
第４の実施形態は、第１の実施形態の応用例である。第４の実施形態において、第１の実施形態と同様の部分は説明を省略する。
【００４３】
記録ヘッド３の材質や、クリーニングウェブ３０の材質によっては、クリーニングウェブ３０をフェイス面３ｂに当接させることで、フェイス面３ｂを劣化させてしまう場合がある。
【００４４】
そこで、本実施形態では、記録ヘッド３の温度に基づいて払拭機構を当接させる場合、記録ヘッド３のノズル列が配置された部分以外に当接させる。すなわちフェイス面３ｂを除く個所に当接させるように制御している。図１３に、本実施形態における制御を説明するためのフローチャートを示す。図１４に、クリーニングウェブ３０の当接位置の模式図を示す。
【００４５】
本実施形態においても、インク滴の吐出数に基づいて記録ヘッド３に払拭機構８を当接させるか否かの判断（ステップＳ３１）、及び記録ヘッド３の温度に基づいて記録ヘッド３に払拭機構を当接させるか否かの判断（ステップＳ３２、Ｓ３４）を行っている。また、本実施形態では、インク滴の吐出数に基づいて記録ヘッド３に払拭機構を当接させる場合に、払拭機構を記録ヘッド３のフェイス面３ｂに当接させるように、制御系が制御を行っている（ステップＳ３３）。さらに、本実施形態では、記録ヘッド３の温度に基づいて記録ヘッド３に払拭機構を当接させる場合には、払拭機構を記録ヘッド３のフェイス面３ｂ以外の個所に当接させるように、制御系が制御を行っている（ステップＳ３５）。
【００４６】
本実施形態では、記録ヘッド３の温度に基づいて払拭機構８のクリーニングウェブ３０を当接させる場合、図１４に示すように、記録ヘッド３におけるフェイス面３ｂ以外の個所、例えば記録ヘッド３の外周縁部近傍に当接させるように制御する。これによって、クリーニングウェブ３０でフェイス面３ｂを劣化させることなく、記録ヘッド３の昇温を抑制することができた。
【００４７】
（第５の実施形態）
第５の実施形態は、第１の実施形態の応用例である。第５の実施形態において、第１の実施形態と同様の部分は説明を省略する。
【００４８】
クリーニングウェブ３０は、昇温したフェイス面３ｂに当接することでクリーニングウェブ３０自体が昇温することによって、記録ヘッド３の昇温抑制の効果が低下してしまうことが考えられる。
【００４９】
そこで、本実施形態では、クリーニングウェブ３０の近傍に冷却手段としての冷却ファン３４が設けられており、常時、冷却ファン３４によってクリーニングウェブ３０が冷却されるように構成されている。図１５に、冷却ファン３４の配置の模式図を示す。冷却ファン３４からの冷却風が直接記録ヘッド３のフェイス面３ｂに当たることでインク乾燥固着が促進されてしまうので、図１５に示すように、冷却ファン３４からの冷却風は、記録ヘッド３のフェイス面３ｂに直接当たらないように構成する必要がある。図１５（ｂ）は、本実施形態を、従来の回復装置に適用した構成を示す模式図である。クリーニングウェブ３０を冷却する冷却ファン３４のみでなく、従来の回復装置を冷却する別の冷却ファン３４を設けることで、同様に記録ヘッド３の昇温を抑制する効果が期待できる。
【００５０】
本実施形態では、冷却ファン３４によってクリーニングウェブ３０を常時、冷却することで、フェイス面３ｂにクリーニングウェブ３０を当接させることによって記録ヘッド３の昇温抑制の効果を向上することができた。
【００５１】
なお、本実施形態における冷却ファン３４は、上述した第１〜第４の実施形態のいずれと組み合わされて適用されてもよい。
【００５２】
（第６の実施形態）
第６の実施形態は、第１の実施形態の応用例である。第６の実施形態において、第１の実施形態と同様の部分は説明を省略する。
【００５３】
クリーニングウェブ３０は、昇温したフェイス面３ｂに当接することでクリーニングウェブ３０自体が昇温することによって、記録ヘッド３の昇温抑制の効果が低下してしまうことが考えられる。しかし、上述の第５の実施形態のように、クリーニングウェブ３０を冷却する冷却ファン３４を常時作動させている場合、冷却ファン３４の寿命、消費電力の観点からあまり好ましくない。
【００５４】
そこで、本実施形態では、クリーニングウェブ３０の近傍に、クリーニングウェブ３０を冷却する冷却手段としての冷却ファン３４と、クリーニングウェブ３０の温度を検出するクリーニング温度検出手段としての温度センサ３５とが設けられている。本実施形態では、温度センサ３５が検出したクリーニングウェブ３０の温度に基づいて、冷却ファン３４によってクリーニングウェブ３０を冷却するタイミングを制御系が制御を行っている。すなわち、クリーニングウェブ３０の温度上昇に基づいて、冷却ファン３４を作動させるように、制御系が制御を行っている。図１６に、本実施形態における制御を説明するためのフローチャートを示す。温度検出手段としては、非接触式デジタル放射温度センサなどが挙げられる。図１７に、温度センサ３５の配置の模式図を示す。
【００５５】
本実施形態では、クリーニングウェブ３０の温度上昇に応じて冷却ファン３４を作動させるように、制御系が制御を行っている（ステップＳ４１〜Ｓ４３）。これによって、フェイス面３ｂにクリーニングウェブ３０を当接させることで記録ヘッド３の昇温を抑制する効果を長時間持続させることができた。
【００５６】
（第７の実施形態）
第７の実施形態は、第１の実施形態の応用例である。第７の実施形態において、第１の実施形態と同様の部分は説明を省略する。図１８に、本実施形態におけるペルチェ素子の配置の模式図を示す。図１９に、本実施形態における制御を説明するためのフローチャートを示す。
【００５７】
クリーニングウェブ３０は、通常の場合には常温であるが、クリーニングウェブ３０を予め冷却しておくことで、記録ヘッド３の昇温抑制の効果を向上させることが考えられる。
【００５８】
そこで、本実施形態では、図１８に示すように、クリーニングウェブ３０の近傍に、冷却手段としてのペルチェ素子３６及びクリーニングウェブ３０の温度を検出するウェブ温度検出手段が設けられている。本実施形態では、クリーニングウェブ３０の温度に基づいてクリーニングウェブ３０を予めペルチェ素子３６によって冷却するように、制御系が制御を行っている（ステップＳ４６〜Ｓ４８）。クリーニング温度検出手段としては、第６の実施形態と同様な温度センサ３５が用いられるが、温度検出が可能な構成であれば、この構成に限定されるものではない。
【００５９】
本実施形態によれば、クリーニングウェブ３０の温度に基づいてクリーニングウェブ３０を予め冷却しておくように制御することで、記録ヘッド３の昇温抑制の効果が更に向上される。その結果、フェイス面３ｂに対してクリーニングウェブ３０を当接させる回数の削減を図り、クリーニングウェブ３０の当接時間を短縮させることができた。
【００６０】
なお、本実施形態におけるペルチェ素子３６は、上述した第１〜第６の実施形態のいずれと組み合わされて適用されてもよい。
【００６１】
（第８の実施形態）
第８の実施形態は、第１の実施形態の応用例である。第８の実施形態において、第１の実施形態と同様の部分は説明を省略する。図２０に、本実施形態における放熱フィンの配置の模式図を示す。
【００６２】
クリーニングウェブ３０は、昇温したフェイス面３ｂに当接することでクリーニングウェブ３０自体が昇温し、クリーニングウェブ３０による記録ヘッド３の昇温抑制の効果が低下してしまうことが考えられる。
【００６３】
そこで、本実施形態では、クリーニングウェブ３０の払拭機構８に、放熱手段としての放熱フィン３７が取り付けられており、クリーニングウェブ３０及び払拭機構８の放熱を促進させるように構成されている。
【００６４】
本実施形態のようにクリーニングウェブ３０及び払拭機構８に放熱フィン３７が設けられ、放熱を促進させることで、フェイス面３ｂにクリーニングウェブ３０を当接させることによる昇温抑制の効果を長時間持続させることができた。
【００６５】
なお、本実施形態における放熱フィン３７は、上述した第１〜第７の実施形態のいずれと組み合わされて適用されてもよい。
【符号の説明】
【００６６】
１  装置本体
３  記録ヘッド
３ａ  吐出口
３ｂ  フェイス面
３ｃ  温度センサ
８  払拭機構
３０  クリーニングウェブ
３３  当接部材
１００  主制御部
【図２】
0005709534.tif 000002
【図３】
0005709534.tif 000003
【図５】
0005709534.tif 000004
【図６】
0005709534.tif 000005
【図７】
0005709534.tif 000006
【図８】
0005709534.tif 000007
【図９】
0005709534.tif 000008
【図１０】
0005709534.tif 000009
【図１２】
0005709534.tif 000010
【図１３】
0005709534.tif 000011
【図１４】
0005709534.tif 000012
【図１６】
0005709534.tif 000013
【図１９】
0005709534.tif 000014
【図１】
0005709534.tif 000015
【図４】
0005709534.tif 000016
【図１１】
0005709534.tif 000017
【図１５】
0005709534.tif 000018
【図１７】
0005709534.tif 000019
【図１８】
0005709534.tif 000020
【図２０】
0005709534.tif 000021